(57)【要約】      （修正有）【課題】輸送装置の分離要素に関し、この移動装置が、ブックブロックの形成のための、複数の部分ブックブロックの堆積のため、輸送装置のブック通路に沿って形成されている。完成し堆積されたブックブロックは、加工機械に供給可能である。【解決手段】ブック通路は、少なくとも１つの移送区間ＵＥＦ−１、２と、先行配置された移送区間ＵＥＦ−１と、後続配設された移送区間ＵＥＦ−２間の、連結部材としての、輸送装置内の、少なくとも１つの第１分離要素ＴＥ−１から成っている。少なくとも１つの駆動装置で作動可能な前記第１分離要素ＴＥ−１が、先行する前記移送区間ＵＥＦ−１から水平供給された部分ブックブロックを水平に、前記分離要素ＴＥ−１で形成された搬送区間を介して更に輸送され、且つ、引き続き、水平に、および、周期に適合し、後接続された前記移送区間ＵＥＦ−２へと引き渡す。【選択図】図２
2019099381.tif 000002
【特許請求の範囲】
【請求項１】
輸送装置（１００）の作動のための分離要素であって、
この輸送装置が、ブックブロック（ＢＢ）の形成のための、複数の部分ブックブロックの堆積のために、この輸送装置（１００）に所属するブック通路（２００）に沿って形成されており、
完成して堆積されたブックブロックが、引き続いて、加工機械（ＢＭ）に供給可能である様式の上記分離要素において、
前記ブック通路（２００）が、少なくとも１つの移送区間（ＵＥＦ−１、ＵＥＦ−２、ＵＥＦ−３）から成ること、
少なくとも１つの第１の分離要素（ＴＥ−１）が、前記輸送装置（１００）内で、連結部材として、先行して配置された移送区間（ＵＥＦ−１）と、後続して配設された移送区間（ＵＥＦ−２）との間に配設されていること、
少なくとも１つの駆動装置によって作動可能な前記第１の分離要素（ＴＥ−１）が、
先行する前記移送区間（ＵＥＦ−１）から水平に供給された部分ブックブロックを引き受け、この部分ブックブロックを水平に前記第１の分離要素（ＴＥ−１）によって形成された搬送区間を介して更に輸送し、この部分ブックブロックを引き続いて水平におよび周期に適合して後接続された前記移送区間（ＵＥＦ−２）へと引き渡す、
１つの手段を有すること、
を特徴とする分離要素。
【請求項２】
輸送装置（１００）の作動のための分離要素であって、
この輸送装置が、ブックブロック（ＢＢ）の形成のための、複数の部分ブックブロックの堆積のために、この輸送装置（１００）に所属するブック通路（２００）に沿って形成されており、
完成して堆積されたブックブロックが、引き続いて、加工機械（ＢＭ）に供給可能である様式の上記分離要素において、
前記ブック通路（２００）が、少なくとも１つの移送区間（ＵＥＦ−１、ＵＥＦ−２、ＵＥＦ−３）から成ること、
少なくとも１つの第２の分離要素（ＴＥ−２）が、前記輸送装置（１００）内で、連結部材として、先行して配置された移送区間（ＵＥＦ−２）と、後続して配設された移送区間（ＵＥＦ−３）との間に配設されていること、
少なくとも１つの駆動装置によって作動可能な前記第２の分離要素（ＴＥ−２）が、
先行する前記移送区間（ＵＥＦ−２）から直立して供給されたブックブロック製品を引き受け、このブックブロック製品を前記分離要素（ＴＥ−２）によって形成された搬送区間を介して直立して更に輸送し、このブックブロック製品を引き続いて直立しておよび周期に適合して後接続された前記移送区間（ＵＥＦ−３）へと引き渡す、
１つの手段を有すること、
を特徴とする分離要素。
【請求項３】
前記分離要素（ＴＥ−１、ＴＥ−２）は、他の供給に依存してまたは自律的に作動可能であることを特徴とする請求項１または２に記載の分離要素。
【請求項４】
少なくとも前記移送区間（ＵＥＦ−１、ＵＥＦ−２、ＵＥＦ−３）は、互いに分割されて作動可能であることを特徴とする請求項１または２に記載の分離要素。
【請求項５】
前記移送区間（ＵＥＦ−１、ＵＥＦ−２、ＵＥＦ−３）と前記分離要素（ＴＥ−１、ＴＥ−２）とは、これらの搬送区間に沿って、前記部分ブックブロックの輸送のための手段として、統合されて一貫した、または、分割されたフィンガーチェーン（５００、５０１、５０２）を有していることを特徴とする請求項１及び／または２に記載の分離要素。
【請求項６】
前記フィンガーチェーン（５００、５０１、５０２）は、連行フィンガー（５００′、５０１′、５０２′）を有しており、
これら連行フィンガーが、水平に案内された前記部分ブックブロックに沿って、垂直、または、ほぼ垂直の整向状態を占める、および、
これら連行フィンガーが、直立して案内された前記ブックブロック製品に沿って、水平、または、ほぼ水平の整向状態を占めることを特徴とする請求項５に記載の分離要素。
【請求項７】
最後の紙葉堆積体供給ユニット（ＢＳＺ−２）に対して、生産方向（ＰＲ１）に後続して配設された前記移送区間（ＵＥＦ−２）は、移行区間（ＵＬＳ）を有しており、
この移行区間内で、そこに案内された前記ブックブロック製品が、水平に置かれた輸送から、直立して案内される輸送へと移行可能であることを特徴とする請求項１から６のいずれか一つまたは複数に記載の分離要素。
【請求項８】
前記第２の分離要素（ＴＥ−２）は、前記輸送装置（１００）内で、前記第１の分離要素（ＴＥ−１）に後接続されていること、および、
この第２のまたは最後の分離要素（ＴＥ−２）が、前記加工機械（ＢＭ）に前接続されていることを特徴とする請求項１または２に記載の分離要素。
【請求項９】
前記第１及び／または第２の分離要素（ＴＥ−１、ＴＥ−２）を介しての、堆積されるべき前記部分ブックブロック、または、完成して堆積された前記ブックブロック製品の搬送は、
前記分離要素（ＴＥ−１、ＴＥ−２）に先行するおよび後に続く前記移送区間（ＵＥＦ−１、ＵＥＦ−２、ＵＥＦ−３）の周期的運動に対して、周期において、単調に、同期的に、または、不連続的に、実施可能であることを特徴とする請求項１または２に記載の分離要素。
【請求項１０】
前記分離要素（ＴＥ−１、ＴＥ−２）に先行してまたは後接続されて作用する、前記輸送装置（１００）の少なくとも１つの前記移送区間（ＵＥＦ−１、ＵＥＦ−２、ＵＥＦ−３）は、
少なくとも１つの紙葉堆積体供給ユニット（ＢＳＺ−１、ＢＳＺ−２）を、及び／または、少なくとも１つの堆積形成する部分ブックブロックの供給のための少なくとも１つのＺＴＭ給紙機（ＺＴＭ−１）を装備されていることを特徴とする請求項１から９のいずれか一つまたは複数に記載の分離要素。
【請求項１１】
前記移送区間（ＵＥＦ−１、ＵＥＦ−２、ＵＥＦ−３）に対する、堆積されるべき前記部分ブックブロックの供給は、
前記輸送装置（１００）の前記ブック通路（２００）内における前記生産方向（ＰＲ１）に対して垂直及び／または側方に、実施可能であることを特徴とする請求項１または２に記載の分離要素。
【請求項１２】
前記移送区間（ＵＥＦ−１、ＵＥＦ−２、ＵＥＦ−３）内において、水平に存在する前記部分ブックブロックの現存する高さに対して、紙葉堆積体供給ユニット（ＢＳＺ−１、ＢＳＺ−２）と作用結合の状態にある紙葉堆積体供給テーブル（ＢＳＺＴ）の、適合された高さ調節を実現するために、
それぞれに堆積されるべき前記部分ブックブロックの側方の供給は、制御プロフィルによって、この制御プロフィルが、必要のある場合には連続して作用する程に、制御可能であることを特徴とする請求項１１に記載の分離要素。
【請求項１３】
高さ調節可能な、前記紙葉堆積体供給ユニット（ＢＳＺ−１、ＢＳＺ−２）と作用結合の状態にある、前記紙葉堆積体供給テーブル（ＢＳＺＴ）において、
３つの異なる作動様式、即ち：
ａ）  前記紙葉堆積体供給テーブル（ＢＳＺＴ）が、通過作動の際に、最も上側の位置に存在すること；
ｂ）  前記紙葉堆積体供給テーブル（ＢＳＺＴ）が、挿入作動の際に、最も下側の位置に存在すること；
ｃ）  前記紙葉堆積体供給テーブル（ＢＳＺＴ）の高さが、付け加え作動の際に、到着する前記部分ブックブロックの高さに適合されること、
の作動様式が基礎とされることを特徴とする請求項１２に記載の分離要素。
【請求項１４】
前記紙葉堆積体供給ユニット（ＢＳＺ−１、ＢＳＺ−２）、及び／または、ＺＴＭ給紙機からの、前記移送区間へのそれぞれに堆積されるべき前記部分ブックブロックの供給は、前記機構ユニットの間の傾斜の相互依存性のもとで実施可能であることを特徴とする請求項１１または１２に記載の分離要素。
【請求項１５】
少なくとも水平に輸送される前記部分ブックブロックは、少なくとも１つの前記移送区間（ＵＥＦ−１、ＵＥＦ−２）内で、３０°以下の、有利には２０°±５°の、有利には１０°以下の傾斜のもとで、輸送可能であることを特徴とする請求項１または２に記載の分離要素。
【請求項１６】
前記駆動装置によって制御される、前記分離要素内において区画を定められた前記搬送区間に沿った前記部分ブックブロックの輸送は、異なる速度プロフィルでもって、作動可能であることを特徴とする請求項１または２に記載の分離要素。
【請求項１７】
前記輸送装置（１００）は、動作的に作用する、前記移送区間（ＵＥＦ−１、ＵＥＦ−２、ＵＥＦ−３）、前記分離要素（ＴＥ−１、ＴＥ−２）、前記紙葉堆積体供給ユニット（ＢＳＺ−１、ＢＳＺ−２）、および、前記ＺＴＭ給紙機（ＺＴＭ−１）の全てを、または、選択的にただ一部だけを介して、作動可能であることを特徴とする請求項１から１６のいずれか一つに記載の分離要素。
【請求項１８】
更に別の制御プロフィルは、前記輸送装置（１００）の要素を、
これら要素が、移送区間（ＵＥＦ−１、ＵＥＦ−２、ＵＥＦ−３）、紙葉堆積体供給ユニット（ＢＳＺ−１、ＢＳＺ−２）、ＺＴＭ給紙機（ＺＴＭ−１）、分離要素（ＴＥ−１、ＴＥ−２）からの、部分ブックブロックの中間での適宜の迂回をコントロールするように、
制御することを特徴とする請求項１から１７のいずれか一つに記載の分離要素。
【請求項１９】
請求項１または２による輸送装置（１００）を作動するための方法において、
前記輸送装置（１００）が、少なくとも以下の要素：即ち、
ｉ）  第１の紙葉堆積体供給ユニット（ＢＳＺ−１）および第１のＺＴＭ給紙機（ＺＴＭ−１）との作用結合の状態において作動される、第１の移送区間（ＵＥＦ−１）；
ｉｉ）  前記第１の移送区間（ＵＥＦ−１）の後で動作する、第１の分離要素（ＴＥ−１）；
ｉｉｉ）  第２の紙葉堆積体供給ユニット（ＢＳＺ−２）との作用結合の状態において作動される、前記第１の分離要素（ＴＥ−１）に続いての第２の移送区間（ＵＥＦ−２）；
ｉｖ）  前記第２の移送区間（ＵＥＦ−２）の後で動作する、第２の分離要素（ＴＥ−２）；
ｖ）  インフラストラクチャーが、引き続いての加工機械（ＢＭ）の装入のために構成されている、第３の移送区間（ＵＥＦ−３）；
から形成されていることを特徴とする方法。
【請求項２０】
前記輸送装置（１００）は、前記要素の全てを、または、選択的にただ一部だけを介して作動されることを特徴とする請求項１９に記載の方法。
【請求項２１】
前記第２のまたは最後の分離要素（ＴＥ−２）の前に配設されている、少なくとも前記第２のまたは最後の移送区間（ＵＥＦ−２、ＵＥＦ−３）は、水平な姿勢から垂直の姿勢へのブックブロック製品の移行を行う、少なくとも１つの移行区間（ＵＬＳ）を有していることを特徴とする請求項１９に記載の方法。
【発明の詳細な説明】
【技術分野】
【０００１】
本発明は、輸送装置内の、少なくとも１つの第１の分離要素に関し、その際、この分離要素が、堆積された、水平に（ｆｌａｃｈ）積み重なっている部分ブックブロックを更に輸送する。
更に、本発明は、請求項１または２の上位概念に従い、第１の分離要素に対して後工程においてこの第１の分離要素の輸送方向に沿って配置されている少なくとも１つの第２の分離要素にも関し、この第２の分離要素が、完成して堆積された部分ブックブロックを、これら部分ブックブロックの本の背の上で位置して、後接続された加工機械へと更に輸送する。
【背景技術】
【０００２】
特許文献１から、品物の丁合、搬送、および、綴じ合わせのための装置が読み取れ、この装置が、第１の搬送機構によって供給される品物の貯蔵と、第２の搬送機構への所定の時系列的な比率におけるこの品物の転送とを引き受け、その際、貯蔵装置が伝動機構を装備されており、この伝動機構が、第１のモーターを用いてのこの伝動機構の駆動のための第１の手段、並びに、第２のモーターを用いての駆動のための第２の手段を備えており、且つ、この貯蔵装置が、選択的に、第１のモーターまたは第２のモーターによって駆動可能である。
更に、この装置は、同様に上述された装置の作動のための方法にも関し、その際、欠陥が発生するまで、丁合い機に、その間ずっと、折帳が供給され、且つ、この欠陥を修正するためにこの丁合い機がそれに応じて停止され、これに対して、全ての貯蔵された折帳が綴じ合わせ機械に供給されるまで、更に、この丁合い機内において貯蔵された折帳が移送コンベヤーチェーンに供給される。
供給は、移送コンベヤーチェーンによって停止され、これに対して、その場合に折帳を丁合い機から移送コンベヤーチェーンに供給するために、綴じ合わせ機械が、移送コンベヤーチェーンが停止された丁合い機と同期的に始動する程に、更に作動し続けられ、これに対して、これら両方の移送コンベヤーチェーンと丁合い機とが、所定の速度にされる。
移送コンベヤーチェーンに引き渡された折帳が綴じ合わせ機械に供給される前に、丁合い機、移送コンベヤーチェーンと綴じ合わせ機械との間で、同期運動が形成される。
【０００３】
特許文献２から、印刷機から綴じ合わせ機器内への折帳の移送のための移送もしくは輸送設備、特に印刷機および綴じ合わせ機器から成る同期的に作動する設備が読み取れ、この設備において、綴じ合わせ機器が新たに作動開始される間じゅうと同様に、この綴じ合わせ機器が印刷機と同期的に作動される間じゅうも、この印刷機が連続的に作動される。
この特許文献から、更に、移送設備が提供されることが読み取れ、この移送設備は、集積されたもしくは丁合いされた折帳を、連続的に作動する印刷機から、同期的に作動する綴じ合わせ機器に供給することに適している。
折帳の移送のための移送設備は、同期手段を装備されており、これら同期手段が、印刷機、綴じ合わせ機器、移送コンベヤーを、同期運動において操作し、および、この移送設備が、折帳を綴じ合わせ機器の停止の際に搬送装置から転出するために、転出装置を装備されている。この移送設備は、更に、綴じ合わせ機器が再び作動状態にされた場合に、自動的に、この設備との綴じ合わせ機器の同期運動を引き起こす装置を有している。
更に、この特許文献は、これら折帳を丁合する印刷機から綴じ合わせ機器内へと、丁合された折帳を移送するための方法を示唆している。
【先行技術文献】
【特許文献】
【０００４】
【特許文献２】スイス連邦特許第５４５  ７３８号明細書
【特許文献２】ドイツ連邦共和国特許出願公開第２  ２３１  ９５５号明細書
【発明の概要】
【発明が解決しようとする課題】
【０００５】
請求項内において特徴付けられているような、本発明の根底をなす課題は、同様に引き渡し要素とも称される分離要素を提案することであり、この分離要素が、移送手段を備えられ、且つ、先行する移送区間を介して供給された部分ブックブロックまたは一般的なブックブロック製品を、これらの予め与えられた姿勢に依存せずに把持すること、および、更に輸送すること、および、引き続いて、周期に適合して、後接続された移送区間へと引き渡すことが可能な状態にあり、その際、これらが、分割された（ｓｅｇｍｅｎｔｉｅｒｔ）状態で互いに作動され、このことは、有利な作動自律性を誘起する。
【発明の効果】
【０００６】
相前後して導入された、綴じていない（ｌｏｓｅｎ）部分ブックブロックは、先ず第一に、形状的に嵌合して、水平に積み重なった状態で、同様に水平に延びるブック通路（横たわっている通路）内へと導入され、その際、この技術が、基本的に、ブックブロックが、一貫して「直立している通路」に沿って、即ち本の背の上に位置して輸送される技術と異なっている。
基本的に、ブック通路は、有利には相前後して連続する一連の移送区間によって形成されている。最後になって初めて、水平に輸送され且つ完成して組み立てられたブックブロック製品は、引き続いての加工機械の要件のために、他の姿勢に移行（ｕｅｂｅｒｆｕｅｈｒｔ）される。
【０００７】
これに伴って、堆積、即ちいわゆる同期化（Ｅｉｎｔａｋｔｅｎｓ）の動力学的な動態において、両方の機構ユニット、即ちブック通路／紙葉堆積体供給テーブルの間の傾斜の相互依存性（Ｎｅｉｇｕｎｇｓｉｎｔｅｒｄｅｐｅｎｄｅｎｚ）は、
この紙葉堆積体供給装置が紙葉堆積体の同期化を保証する一連の輸送ベルトを備える程に、および、
ブック通路内における部分ブックブロックの輸送が、堆積が相互依存的に紙葉堆積体供給テーブルとブック通路との間で行動するフィンガーチェーンによって行われおよび従ってそれぞれの製品の搬送が維持されるように実施される程に、支配的である。
【０００８】
そのような包括的な作動において、移送区間と動力学的に作用結合の状態にある、少なくとも２つの分離要素が設けられていることは明白であり、即ち、一方の移送区間から他方の移送区間への、専ら連続的にだけでなく、大抵の場合、十分に不連続的なそれぞれの部分ブックブロックの引き渡しが保証されるべきである。
【０００９】
分離要素は、この分離要素が、一般的に、生産方向において、先行する移送区間と後に続く移送区間との間の連結部材、いわば架橋部材（Ｂｒｕｅｃｋｅ）としての機能を果たすという趣旨において、ブックブロック製品の水平に置かれた輸送のために重要な構成要素を形成し、その際、この注目される輸送装置が、言及されているように、同様に複数の分離要素を有していることは可能である。
【００１０】
サーボモーターによって駆動される分離要素は、ブックブロック製品が、第１の移送区間内において動作するフィンガーチェーンから、第２の後接続された移送区間のフィンガーチェーン内へと引き渡され得ることを実現する。
【００１１】
分離要素のフィンガーチェーンは、基本的に、ブックブロック製品を、先行する移送区間に沿っての輸送から取り上げ、これらブックブロック製品が、次いで、このフィンガーチェーンによって、この分離要素によって画定された輸送区間を介して更に輸送され、および、引き続いて、これらブックブロック製品が、次いで、周期精確に、後接続された移送区間へと引き渡される。
【００１２】
異なるチェーンピッチ可能性によって、サーボモーターは、多重に異なる速度プロフィルを作動可能であることが可能な状態にあり、その際、このサーボモーターが、有利には、組み込まれた制御プロフィルにより制御される。それにも関わらず、適応的または予測的に（ｐｒａｅｄｉｋｔｉｖ）分離要素内でのシステムの制御を作動可能である、制御プロフィルも使用に供せられる。
【００１３】
一方では、部分ブックブロックが、形状的に嵌合して重なり合って堆積され、他方では、これら部分ブックブロックの輸送が、ブック通路に沿って、完全に、互いに連続的に行われ、即ち、生産方向における、個々の部分ブックブロックと、後に完成して調製されたブックブロック製品との間の間隔が、ゼロを目指し、即ち、ブックブロック製品が、一般的に、ほぼ互いに当接し、即ち、サイズ依存性および厚さ依存性が、如何なる影響も、互いの生産方向におけるブックブロック製品の離間に対して有していない。
このことは、装置交換が、異なるブックブロック製品の生産において必要ではないことの重要な利点を有している。
【００１４】
場合によっては、制御プロフィルは、全輸送ユニット内での移動プロフィルを、製品サイズにより調整すること、即ち、例えば、より短い製品長さの際に、生産方向における中間での（ｉｎｔｅｒｍｅｄｉａｅｒｅｎ）加速度が低減され得ることが可能な状態にある。
【００１５】
ブックブロック製品の周域内におけるそれら連行フィンガーの使用の間じゅう、動力学的な旋回運動が不可能なままであるために、有利には、分離要素内において動作する連行フィンガーは、これら連行フィンガーに所属する狭小な限度内において保持された姿勢を占めるべきである。
【００１６】
本発明の更に重要な利点は、横たわって案内されたブックブロック製品により、分離要素内で、並びに、この分離要素の前および後ろで、公知されている輸送装置に比して真正の工業技術的な利得が生ずることの点にある。
【００１７】
更に、同様にそのような分離要素内でも、これらブックブロック製品の異なるサイズに基づいての調節が行われる必要はない。上記のことに応じて、同様に、分離要素内における、組み込まれたサーボモーターの駆動により、フィンガーチェーンの異なるピッチの際に、機械的な伝動装置の交換をしなくて良いことも達成され得る。
【００１８】
本発明は、それ故に、個々に構成された複数の分離要素を装備することを目的として有しており、これら分離要素が、輸送装置の作動のために使用に供せられ、および、この輸送装置が、ブックブロックまたは一般的なブックブロック製品の形成のための複数の部分ブックブロックの堆積のために、この輸送装置に対して所属するブック通路に沿って、完成して堆積されたブックブロックが、引き続いて、予め設定された判定基準により、加工機械に供給され得るように形成されている。
【００１９】
既に概略的に説明されているように、少なくとも１つの駆動装置によって作動可能な第１の分離要素は、先行する移送区間から水平に供給された部分ブックブロックを引き受け、この部分ブックブロックが、次いで、水平に、第１の分離要素によって形成された搬送区間を介して更に輸送され、且つ、引き続いて、水平に、および、周期に適合して、後接続された移送区間へと引き渡される。
【００２０】
その際、固有の、少なくとも１つの駆動装置によって後接続された第２の分離要素が、先行する移送区間から、既に直立して整向された、部分ブックブロックを同様に引き受け、
この部分ブックブロックを、第２の分離要素によって形成された搬送区間を介して、直立して更に輸送し、且つ、引き続いて、直立して、および、周期に適合して、後接続された移送区間へと引き渡し、その際、上述のうち後者の移送区間が加工機械に前接続されていることは行われる。
従って、これら構成により、輸送装置が異なる分離要素を備えており、これら分離要素が、確かに、基本的に同じ移送手法を満たすが、しかしながら、それ自体で、個々の部分ブックブロックの更なる輸送の様式に関して、異なる試みを追及していることは強調される。
【００２１】
特に、第２の移送区間の連結部材としての使用のために設けられた分離要素は、部分ブックブロックの輸送のための、これら分離要素の搬送区間に沿って、統合されて一貫した、または、分割された、フィンガーチェーンを有しており、このフィンガーチェーンの側で連行フィンガーを有しており、これら連行フィンガーが、先ず第一に、水平に案内された部分ブックブロックのために、垂直、または、ほぼ垂直の整向状態を有している。
これら水平に案内されたブックブロック製品が、一般的に、直立して案内される姿勢に移送されるやいなや、従って、この新しい姿勢の開始以降、連行フィンガーは、水平、または、ほぼ水平の整向状態を有するべきであることの基準が価値を有しており、且つ、このことが、特に、加工機械の手前の第２のまたは最後の分離要素に当てはまる。
【００２２】
この目的のために、有利には、水平な供給によって構成された最後の紙葉堆積体供給ユニットの作動の後、移行区間が設けられており、この移行区間内で、そこに導入されたブックブロック製品が、水平に置かれた輸送状態から、直立して案内される輸送へと移行される。
即ち、この移行区間の後工程において、時折、図示された輸送装置内で加工機械の手前の最後の分離要素としての機能を果たす、第２のまたは更に別の分離要素が配設されている場合、まさしく、ブックブロック製品は、一般的に、これらブックブロック製品の搬送区間にわたって直立して案内される。
【００２３】
この構成によって、最後の分離要素の後に配設されている移送区間が、極めて短く保持され得ることは達成され得る。何故ならば、ブックブロック製品が、これに伴って、既に、加工機械のために予め設定されている、当該の姿勢を有しており、それによって、更なる、これに関連する任意の処理が、もはや講じられる必要がないからである。
【００２４】
このことから、装置に関して、いまや、何故、最後の分離要素が、連行フィンガーの他の案内によって先行する分離要素に対して特徴付けられているかは明瞭である。
【００２５】
第１及び／または第２の分離要素を介しての、堆積されるべき部分ブックブロック、または、完成して堆積されたブックブロック製品の搬送は、分離要素に先行するおよび後に続く移送区間の周期的運動に対して、周期において、単調に、同期的に、または、不連続的に実施され、従って、これら分離要素が、それ自体で、輸送装置の残りの移送区間に沿っての、ブックブロック製品の輸送の際の、起こり得る不連続的な周期に対して、調整機能（ｏｒｄｎｅｎｄｅ  Ｆｕｎｋｔｉｏｎ）を及ぼすことは、鮮明に明らかになる。
【００２６】
輸送装置内での分離要素の配設は、それに加えて、部分ブックブロックの堆積と関連する、更に別の調整機能を満たし：即ち、分離要素の、輸送に条件付けられた、調整機能の保障のために、これら分離要素が、輸送装置内で、前接続または後接続された移送区間が、少なくとも１つの紙葉堆積体供給ユニット及び／または少なくとも１つのＺＴＭ給紙機を装備されているように、配設されており、
その際、堆積されるべき部分ブックブロックの供給が、予め与えられた移送区間に対して、輸送装置の生産方向に対して垂直と同様に側方に設けられている場合に、これら分離要素の調整機能が、その場合に、有力に（ｇｅｗｉｃｈｔｉｇ）機能状態になり、即ち、これらの場合に、これら分離要素が、ブックブロック製品の供給および更なる輸送の際に潜在的に発生する測り得ないこと（Ｉｍｐｏｎｄｅｒａｂｉｌｉｅｎ）に対して、調整するように（ｏｒｄｎｅｎｄ）作用すべきである。
【００２７】
それぞれに堆積されるべき部分ブックブロックの側方の供給が基礎にある場合、移送区間内において、水平に到着する部分ブックブロックの、確認された現存する高さに対する、紙葉堆積体供給ユニットの適合された高さ調節を行うために、制御ユニットは、合目的な制御命令によって作用する（上記を参照）。
この処理方法において、発生し易い周期的な不均等性の状態が、その場合に分離要素によって容易に「取り除かれ（ａｕｓｇｅｂｕｅｇｅｌｔ）」得る。
【００２８】
更に、分離要素は、必要のある場合には、そのブックブロック製品の搬送区間内で、輸送されるブックブロック製品の整向を行わねば成らない。
確かに、特に、水平に輸送される前記部分ブックブロックが、移送区間内で、３０°以下、有利には２０°±５°、有利には１０°以下に規定されている、安定させ、姿勢を維持する傾斜を有していることは適当であるが、
しかしながら、それにも関わらず、自体、この姿勢を維持する傾斜の際に、輸送および堆積形成の内でブックブロック製品の加速または減速と関係がある可能性のある不均等性の状態になり、および、これに関連して、分離要素によって修復（Ｒｅｍｅｄｕｒ）が行われ、
従って、同様に、速度プロフィルが、分離要素内で安定的であり、且つ、輸送装置の輸送要素の残りの速度から切り離された状態で行動するので、ブックブロック製品が、少なくとも、相応する分離要素の通過の後に「鎮静」される。
【００２９】
輸送装置に関して、この輸送装置の作動は、確かに、上述された分離要素との作用結合の状態にあるが、それにも関わらず、しかしながら、ブックブロック製品が周期精確に且つ姿勢に適合して、引き続いての加工機械に移送され得ることの前提条件が達成され得るために、この輸送装置が、作動のために同様に重要な役割も果たす、重要な要素を有していることは強調される。
【００３０】
堆積体走行方向（Ｓｔａｐｅｌｌａｕｆｒｉｃｈｔｕｎｇ）において第１の紙葉堆積体供給ユニットから与えられた、例えばデジタル印刷製品または非デジタル印刷製品から成る、綴じていない部分ブックブロックは、引き続いてのＺＴＭ給紙機を介して案内され、ここで、付加的な個別の紙または紙葉が更に加わる。このＺＴＭ給紙機の後のブックブロックに応じての堆積が、完了されたと見なされる場合、このブックブロック製品は、接着製本機、糸かがり機、または、更に別の加工のための他の加工機械に供給される。
【００３１】
しかしながら、部分ブックブロックのこの堆積が、未だに完了されたと見なされない限りでは、ＺＴＭ給紙機への後工程において、更に別の紙葉堆積体供給ユニットが設けられており、この紙葉堆積体供給ユニットを介して、これまで形成された綴じていないブックブロックパケットが、更に別の部分ブックブロックによって補充される。
【００３２】
綴じていない部分ブックブロックについての問題である場合、このことは、必要のある場合には、これら綴じていない部分ブックブロックの一部が、中間一時的なブックブロック形成のために、少なくとも背側で、粘着方法によって合目的に固定されていることを排除しない。
【００３３】
既に、これら概略的な説明から、それに従って、異なる部分ブックブロックから形成された最終ブックブロック（ブックブロック製品）の形成が、それ自体で、慎重に行われるべきであることは明瞭であり、
完成して堆積されたブックブロック製品が、後接続された加工機械への途次で、このブックブロック製品の堆積均一性を維持することの保障が意図される場合、それによって、後に続く加工機械、例えば接着製本機、糸かがり機等内へのこのブックブロック製品の導入の際に、如何なる更に別の整向処置も、もはや行う必要はない。
【００３４】
輸送装置は、部分ブックブロックまたはブックブロック製品の横たわっての輸送のために、更に別のＺＴＭ給紙機及び／または紙葉堆積体供給ユニットによって補充され得、それぞれのブックブロック製品のための、これらの引き渡し（Ａｂｒｕｆｕｎｇ）が、統合されてまたはただ個々にだけ行われ、即ち、必要に応じて、そのようなステーションが、ブックブロック製品の形成の際に容易に抜かされ得る。
【００３５】
複数の供給ステーション（紙葉堆積体供給ユニット、ＺＴＭ給紙機、等）を介しての、最終ブックブロックの形成のための、部分ブックブロックの横たわっての輸送のために形成された、そのような輸送装置の作動において、その場合に、作動が連続的に進行させられ得ることを保障する更に別の準備対策が、提供されるべきである。
【００３６】
例えば、移送区間から形成されたブック通路からのブックブロック製品の横たわっての輸送のために、生産方向において、紙葉堆積体供給ユニット、ＺＴＭ給紙機、分離要素が設けられており、これらは、単一に、または、適宜に配設されている。典型的な搬送連続性が、第１の紙葉堆積体供給ユニットの後に、第１のＺＴＭ給紙機が配設されており、その後、正しく第１の分離要素が作用することにあることは可能である。
後に続く搬送連続性は、この位置状態により繰り返され得、または、順序が適宜に構成され得、その際、供給要素は、個々に、または、互いの組み合わせにおいて、通常は、固有に動作する１つの移送区間に所属して設けられている。
【００３７】
このことは、具体的な場合において、後に続く機構ユニットが周期的運動により供給されるべきであるとき、第１の紙葉堆積体供給ユニットとＺＴＭ給紙機とにわたって延在する、第１の移送区間の後に、既に自律的に且つ相互依存的に作動可能な第１の分離要素が設けられているべきであることを意味する。
【００３８】
自律的および相互依存的に作動可能な分離要素についての問題である場合、これに伴って、この分離要素の機能が、一義的に、これまで形成された、綴じていない、且つ、横たわって配設された部分ブックブロックを、先行する輸送区間から後接続された輸送区間へと連続的に且つ形状的に嵌合して、しかしながら、強制的にではなく、先行する作動と周期維持して搬送することにあることは強調される。
【００３９】
他方では、この分離要素は、同様に、ブックブロック製品の移送を、先行する輸送区間から後に続く輸送区間へと、両方の区間がその場合に自律的に作動され得る程に、搬送技術的に分離することが可能な状態にある。
【００４０】
分離要素が、即ち、ブックブロック製品を先行する輸送区間から後に続く輸送区間へと搬送することの機能を満たすべき場合、この分離要素を、必要に応じて、異なる速度プロフィルで作動することが可能な状態にすることのために、準備対策が講じられるべきである。その際、異なる輸送区間にわたっての周期基準値（Ｔａｋｔｖｏｒｇａｂｅ）だけでなく、製品長さ、および、場合によっては同様に、綴じていない部分ブックブロックの更に別の性質（紙の構造、等）も考慮されるべきである。
【００４１】
それに従って、輸送装置のインフラストラクチャーは、１つの輸送区間から成り、この輸送区間が、通常の場合には、以下の要素、即ち：
ｉ）  第１の紙葉堆積体供給ユニットおよび第１のＺＴＭ給紙機との作用結合の状態にある、第１の移送区間；
ｉｉ）  前記第１の移送区間に後接続されている、第１の分離要素；
ｉｉｉ）  第２の紙葉堆積体供給ユニットとの作用結合の状態にある、前記第１の分離要素に続いての第２の移送区間；
ｉｖ）  前記第２の移送区間後接続されている、第２の分離要素；
ｖ）  その第３の移送区間が、遅くとも、ここで、ブックブロックの姿勢に関するインフラストラクチャーを、引き続いての加工機械の装入（Ｂｅｓｃｈｉｃｋｕｎｇ）のために準備する、第３の移送区間；
から成る要素によって装備されている。
【００４２】
最終的なものとは見なされるべきではない、そのような輸送区間を出発点として、本発明を自体で形成する、以下の対象および作動様式は、認識可能である。
【００４３】
輸送区間の一貫した作動様式は、それに従って、全ての上述された要素が、効果的および同時に作動状態にあることにある。
この作動様式において、しかしながら、個々の部分ブックブロックの一貫性は、即ち、全ての供給要素が後接続された加工機械のための完成したブックブロック製品の形成のために寄与するにもかかわらず、必ずしも同形式である必要はなく、それぞれの完成したブックブロックのための、これら供給要素の固有の割合分が異なっていることは可能であり、または、中間で、個々の供給要素において、しかもその上、ゼロを目指すまたはゼロであることは可能である。
【００４４】
このことは、例示的に、ＺＴＭ給紙機を介して完全には全ての、（通常の場合には引き出しされ得る）可能な個別の紙または紙葉が引き出されない場合のことである。
【００４５】
そのような包括的な作動の際に、少なくとも２つの分離要素が設けられており、これら分離要素が、移送区間と、動力学的に作用結合の状態にあり、即ち、一方の移送区間から他方の移送区間へのそれぞれの部分ブックブロックの引き渡しが、有り得ない訳ではないが連続的に、しかしながら、大抵の場合、十分に不連続的に、保障されるべきであることは明白である。
【００４６】
合目的に限定される第１の作動様式は、その第１の移送区間の紙葉堆積体供給ユニット及び／またはＺＴＭ給紙機を有する該第１の移送区間が迂回され、且つ、最初に第２の紙葉堆積体供給ユニットが機能状態になり、それによって、同様に第１の分離要素も作動中止状態にあることにある。
しかしながら、このことは、完全には考慮され得ず、その場合に、中間で、必要のある場合には、相前後して連続する、異なる部分ブックブロックの供給の際に、上述された直接的に作動状態にない要素が、瞬間的に作動状態にされ、瞬間的に、即ちいつでも一貫した作動へと移行可能である。
【００４７】
作動は、同様に、確かに第１の紙葉堆積体供給ユニットが作動状態にないが、なるほど、しかしながら、ＺＴＭ給紙機が作動状態にある場合にも限定されている。
そのような作動において、その場合に、第１の分離要素は十分に動作的であり、この第１の分離要素が、ＺＴＭ給紙機から引き出された個別の紙または紙葉が、同様に不連続的に引き受けられ、且つ、姿勢および周期に適合して、第２の移送区間に引き渡され得、ここで、これら個別の紙または紙葉が、次いで、第２の紙葉堆積体供給ユニットからの寄与によって補充され得ること、のための働きをする。
この紙葉堆積体供給ユニットの作動化が、直接的に、第２の分離要素の作動に対して、運動学的に動作的な作用を引き起こすことは明白であり、これら作用が、更に以下で説明される。
【００４８】
ほぼ一貫した作動様式は、例示的に、第２の紙葉堆積体供給ユニットが、如何なる寄与もせず、それ故に、一時的に、または、一貫して作動中止状態にある場合に与えられる。従って、移送区間の作動は、第１の分離要素から、後に続く供給要素のために、一貫して周期的運動において作動され得、即ち、第２の分離要素が、ブックブロックを、第２の移送区間によって予め与えられた周期に対して、単調に、同期的に、加工機械のための移行部としての第３の移送区間へと更に搬送する。
【００４９】
そのような分割された輸送区間は、いつでも、部分ブックブロックが、例えば、第１の分離要素の後、及び／または、ＺＴＭ給紙機からの寄与の後、通過過程から分岐され得ることの利点も有している。これら介入は、異なる設定によって、例えば、制御装置が、確認された品質欠陥の理由で介入し、且つ、製品を前もって排出する場合、または、この制御装置が、例えばこの製品が他の加工機械に供給されるべきであるという理由でこの分岐を能動的に計画する場合、動機づけされ得る。
【００５０】
上記のことから、まさに、異なる移送区間および供給要素への、輸送装置の上記された分離によって、大きな動作上のフレキシビリティが結果として生じることは認識可能である。
【００５１】
そのような、分離に対して構成された輸送装置は、前もって、顧客特有の設備が提供され得ることの利点も有しており、これら設備が、顧客のために、これら輸送装置が、いつでも、少なくとも上記された要素および機構ユニットによって、容易に増補され得ることの利点を有している。
【００５２】
そのように構成された、そのような輸送装置は、付加的な、ブックブロックに関する個々の供給が、必ずしも垂直から行われる必要はなく、むしろ、同様に従来技術の利得を形成する特別の準備対策が講じられることを前提として、同様に良好に、生産方向に対して側方に行われ得ることの利点も有している。
【００５３】
それに従って、そのような供給が行われる場合、異なる部分ブックブロックの引き渡し面が、輸送装置の輸送面（ブック通路）に対して、相応する部分ブックブロックを案内する紙葉堆積体供給テーブルによって高さ調節可能であり、且つ、ブック通路内において列に並んでいる部分ブックブロックと、最大限、面一の状態に一致させられ得ることは、単に保障されるべきである。
即ち、一方では、高さ調節を上方および下方に向かって行う準備対策が講じられるべきであり、および、他方では、同様に更に動作的に、引き渡しが周期に適合して、または、ブック通路内において列に並んでいる部分ブックブロックとの作用結合の状態において行われることは、適合されるべきである。
【００５４】
水平に載置する部分ブックブロックの堆積に関して、この堆積が部分ブックブロックの引き渡しの際に移動状態で行われ得ることは講ぜられ得、即ち必ずしも静止している作動の際には行われ得ない。
【００５５】
その際、高さ調節可能な紙葉堆積体供給ユニットは、通常、異なる３つの作動位置、即ち：
ｉ）  通過作動の際に、紙葉堆積体供給ユニットが最も上側の位置に存在する；
ｉｉ）  挿入作動の際に、紙葉堆積体供給ユニットが最も下側の位置に存在する；
ｉｉｉ）  付け加え作動（Ｚｕｌｅｇｅ−Ｂｅｔｒｉｅｂ）の際に、紙葉堆積体供給ユニットの高さが、部分ブックブロックの高さに対しての適合を受ける、
作動位置を有している。
その際、それぞれに堆積された部分ブックブロックの供給が、紙葉堆積体供給ユニット及び／またはＺＴＭ給紙機によって使用に供され、且つ、移送区間に対して、関与させられる機構ユニットの間の傾斜の相互依存性のもとで実施されることは準備される。
【００５６】
輸送装置のブック通路に関して、このブック通路の傾斜は、調節可能である。標準的に、この傾斜は、ブックブロック製品が最適にこの通路内において輸送され得るために、３０°以下である。
この関連において、しかしながら、ブック通路または紙葉堆積体供給テーブルを介して導入されるであろう、綴じていない部分ブックブロックは、小さな付着係数を有しており、且つ、容易に不安定になり、且つ、離ればなれに滑り得ることは考慮されるべきである。この理由から、紙葉堆積体供給テーブルは、１０°よりも大きくない傾斜を有しているべきである。
このことは、その場合に、挿入作動の際に（上記のｉｉｉを参照）、紙葉堆積体供給テーブルが、ブック通路に対して可能な限り近傍に作動されるべきであることを前提とし、従って、同様に少なくとも上述のブック通路のために、有利には１０°の傾斜が設けられるべきである。
【００５７】
これに伴って、堆積、即ちいわゆる同期化（Ｅｉｎｔａｋｔｅｎｓ）の動力学的な動態において、両方の機構ユニット、即ちブック通路／紙葉堆積体供給テーブルの間の傾斜の相互依存性（Ｎｅｉｇｕｎｇｓｉｎｔｅｒｄｅｐｅｎｄｅｎｚ）は、
この紙葉堆積体供給装置が紙葉堆積体の同期化を保証する一連の輸送ベルトを備える程に、および、
ブック通路内における部分ブックブロックの輸送が、堆積が相互依存的に紙葉堆積体供給テーブルとブック通路との間で行動するフィンガーチェーンによって行われおよび従ってそれぞれの製品の搬送が維持されるように実施される程に、支配的である。
【００５８】
以下で、本発明を、図の参照のもとで、詳しく説明する。本発明の直接的な理解のための重要でない全ての要素は、省略されている。同じ要素は、異なる図内において、同じ参照符号を有している。
【図面の簡単な説明】
【００５９】
【図１ａ】典型的な要素を有する輸送装置の図である。
【図１ｂ】典型的な要素を有する更に別の輸送装置の図である。
【図２】第１の分離要素の構造に関する原理図である。
【図３】異なる、可能な生産バリエーションの図である。
【図４】異なる、可能な生産バリエーションの図である。
【図５】異なる、可能な生産バリエーションの図である。
【図６】異なる、可能な生産バリエーションの図である。
【図７】異なる、可能な生産バリエーションの図である。
【図８】分離要素内の、運動学的な経過の図である。
【発明を実施するための形態】
【００６０】
図１ａは、輸送装置１００のインフラストラクチャー（Ｉｎｆｒａｓｔｒｕｋｔｕｒ）を示しており、この輸送装置が、移送区間と一連の供給要素とから形成されている。
輸送装置１００の始めに、第１の移送区間ＵＥＦ−１が位置し、この第１の移送区間は、少なくとも１つの紙葉堆積体供給ユニットＢＳＺ−１と、少なくとも１つの第１のＺＴＭ給紙機ＺＴＭ−１とを装備されている。この関連において、部分ブックブロックが、どの平面からこの供給が行われるかに依存せずに、先ず第一に、水平に重なり合って堆積されることは強調される。
これら水平に堆積された部分ブックブロックは、同様にこの状態において、輸送装置１００に沿って、この輸送装置のブック通路２００内において輸送され、且つ、最終段階において初めて、これら部分ブックブロックの姿勢が、後接続された加工機械ＢＭの要求に相応して適合され、即ち、これらブックブロック製品が、有利には、加工機械ＢＭの前で、水平に置かれた状態から垂直の姿勢に移行される。
【００６１】
この第１の移送区間ＵＥＦ−１に対して後続して配設された状態で、第１の分離要素ＴＥ−１（同様に引き渡し要素とも称される）が作用し、この第１の分離要素は、第２の移送区間ＵＥＦ−２に前接続されており、その際、有利には、この第２の移送区間ＵＥＦ−２の始めに、第２の紙葉堆積体供給ユニットＢＳＺ−２が配設されている。
前記の第２の移送区間ＵＥＦ−２は、詳細に図示されていない移行区間ＵＬＳによって拡張されており、この移行区間ＵＬＳが、既に述べられているように、そこに導入されたブックブロック製品が、水平に置かれた輸送状態から、（本の背の上で）直立して案内される輸送に移行され得ることのための働きをする。
【００６２】
それに従って、この移行区間ＵＬＳの下流に配設されている第２の分離要素ＴＥ−２は、既に加工機械ＢＭ内における加工工程のための予め与えられたブックブロック姿勢を有しているブックブロック製品を供給され、それによって、後ろに配設されているこの分離要素ＴＥ−２が、後接続された加工機械ＢＭが周期に適合して（ｔａｋｔｋｏｎｆｏｒｍ）、正確な姿勢を有するブックブロックを供給され得るために、この分離要素の原因となる課題、即ち供給されたブックブロック製品における測り得ないことおよび障害に対して調整するように介入することを満たすことは可能である。
ブックブロック製品の姿勢に関する変化のための、この移行区間ＵＬＳは、それ故に、必ず、輸送装置内における最後の分離要素の前に配設されるべきである。
【００６３】
図１ｂは、３つの移送区間ＵＥＦ−１、ＵＥＦ−２、ＵＥＦ−３を有する、更に別の輸送装置１００を示しており、これら移送区間の間に、それぞれに１つの分離要素ＴＥ−１、ＴＥ−２が、連結部材として配設されている。
図１ａおよび１ｂは、更に、概略的に、供給要素、特に紙葉堆積体供給ユニットＢＳＺ−１、ＢＳＺ−２が、紙葉堆積体供給テーブルＢＳＺＴの概略的に図示された位置との作用結合の状態にあり、これら紙葉堆積体供給テーブルが、異なる供給要素から供給される部分ブックブロックと、既にブック通路２００内において存在する、ブックブロック製品の堆積物との間の高さ適合を行うことを明示している。
【００６４】
図２は、第１の分離要素ＴＥ−１の構造に関する原理図を示しており、この第１の分離要素が、第１の移送区間ＵＥＦ−１と第２の移送区間ＵＥＦ−２との間に配設されている。
図示されているように、個々の、ここで見て取れる要素の駆動装置Ｍ１、Ｍ２は、自律的に行われ；且つ、輸送装置内で作用する駆動装置Ｍ１、Ｍ２の速度プロフィルの適合が、場合によっては、設備制御装置を介して行われることは可能である。
【００６５】
しかしながら、この切り離しによって、第１の分離要素ＴＥ−１は、先行する第１の移送区間ＵＥＦ−１からの、水平に供給された部分ブックブロックを引き受けるため、この水平に供給された部分ブックブロックを、次いで、水平に、第１の分離要素ＴＥ−１によって形成された搬送区間を介して案内するため、および、この水平に供給された部分ブックブロックを、引き続いて、水平に、および、周期に適合して、後接続された第２の移送区間ＵＥＦ−２に引き渡すために、いつでも、この第１の分離要素に与えられた課題、即ち調整するようにブックブロック製品の流れに対して作用することを、固有に満たすことが可能な状態にある。
類似した考察は、同様に更に別の分離要素ＴＥ−２に関しても言えることである。
それに従って、分離要素ＴＥ−１、ＴＥ−２は、この分離要素内で循環する少なくとも１つのフィンガーチェーン５０１を備えており、このフィンガーチェーンが連行フィンガー５０１′を有しており、これら連行フィンガーが、水平に案内される部分ブックブロックに沿って、垂直、または、ほぼ垂直の整向を有しており（図８）、それに対して、これら連行フィンガーが、直立して案内されるブックブロック製品に沿って、水平、または、ほぼ水平の整向を有している。
【００６６】
生産方向ＰＲ１／ＰＲ２の意味を、図３〜７のもとで、詳細に説明する。
【００６７】
図３は、第１の生産バリエーションを示しており、この第１の生産バリエーションにおいて、最終ブックブロックが、第１の紙葉堆積体供給ユニットＢＳＺ−１から添付される第１の部分ブックブロックＢＳＺ−１−ａから成っている。転送がその場合に生産方向ＰＲ１において行われる前に、この最終ブックブロックは、その場合に、その後、ＺＴＭ給紙機ＺＴＭ−１からの、第２の部分ブックブロックＺＴＭ−１−ａによって堆積され、且つ、引き続いて、更に、最終ブックブロックの形成のために、第２の紙葉堆積体供給ユニットＢＳＺ−２からの、更に別の供給ＢＳＺ−２−ａが更に加わる。
この場合には、ブック通路２００内における更に別の要素は、未使用の状態で留まり、または、これら更に別の要素が、作動を中止されている。
【００６８】
図４は、第２の生産バリエーションを示しており、この第２の生産バリエーションにおいて、最終ブックブロックが、第１のＺＴＭ給紙機ＺＴＭ−１から添付される第１の部分ブックブロックＺＴＭ−１−ａから成っている。転送がその場合に生産方向ＰＲ１において行われる前に、この最終ブックブロックは、その場合に、その後、第２の紙葉堆積体供給ユニットＢＳＺ−２からの、第２の部分ブックブロックＢＳＺ−２−ａによって堆積される。
この場合には、他方また、ブック通路２００内における更に別の要素は、未使用の状態で留まり、または、これら更に別の要素が、作動を中止されている。
【００６９】
図５は、第３の生産バリエーションを示しており、この第３の生産バリエーションにおいて、最終ブックブロックが、第１の紙葉堆積体供給ユニットＢＳＺ−１から添付される第１の部分ブックブロックＢＳＺ−１−ａから成っている。この最終ブックブロックは、その場合に、その後、第２の供給装置ＺＴＭ−２からの、第２の部分ブックブロックＺＴＭ−２−ａによって堆積され、この第２の供給装置ＺＴＭ−２が、直接的に、先行するＺＴＭ給紙機ＺＴＭ−１に続いている。
ここでそのように形成された最終ブックブロックは、次いで、生産方向ＰＲ２に転送され、その際、この転送が、他の行き先、即ち、転送がＰＲ１を有する生産方向で特徴付けられている場合にそのことが通常の場合であるような、必ずしも加工機械ＢＭではない行き先を有していることは可能である。この生産バリエーションにおいて、その場合に、第２の紙葉堆積体供給ユニットＢＳＺ−２からの、部分ブックブロックＢＳＺ−２−ａが、固有に、生産方向ＰＲ１に転送されることは、依然として可能である。
同様にこの場合にも、ブック通路２００内における残りの要素は、未使用の状態で留まり、または、これら更に別の要素が、作動を中止されている。
【００７０】
図６は、第４の生産バリエーションを示しており、この第４の生産バリエーションにおいて、最終ブックブロックが、第１の紙葉堆積体供給ユニットＢＳＺ−１から添付される第１の部分ブックブロックＢＳＺ−１−ａから成っている。この最終ブックブロックは、その場合に、その後、第２の供給装置ＺＴＭ−２からの、第２の部分ブックブロックＺＴＭ−２−ａによって堆積され、この第２の供給装置が、直接的に、先行するＺＴＭ給紙機ＺＴＭ−１に続いている。この最終ブックブロックは、次いで、生産方向ＰＲ１に転送される。
同様にこの場合にも、ブック通路２００内における残りの要素は、未使用の状態で留まり、または、これら更に別の要素が、作動を中止されている。
【００７１】
図７は、第５の生産バリエーションを示しており、この第５の生産バリエーションにおいて、最終ブックブロックが、第２の紙葉堆積体供給ユニットＢＳＺ−２から添付される部分ブックブロックＢＳＺ−２−ａから成っており、次いで、生産方向ＰＲ１に転送される。
同様にこの場合にも、ブック通路２００内における残りの要素は、未使用の状態で留まり、または、これら更に別の要素が、作動を中止されている。
【００７２】
図８は、作動状態における分離要素ＴＥ−１の内側機構を示している。第１の移送区間ＵＥＦ−１を介して、フィンガーチェーン５００に配設されている連行フィンガー５００′によって輸送される部分ブックブロックＢＢは、適時に、分離要素ＴＥ−１の、すぐ次に到着する連行フィンガー５０１′によって引き受けられ、且つ、合目的に、使用に供せられる区間を介して、この部分ブックブロックが、すぐ次に配置されている移送区間ＵＥＦ−２の支配領域内へと侵入するまで、当接する状態で更に前進される。
ここで、部分ブックブロックは、次いで、この移送区間ＵＥＦ−２に所属し、且つ、フィンガーチェーン５０２に配置されている連行フィンガー５０２′によって引き受けられ、且つ、更に輸送される。
【００７３】
それ故に、これら連行フィンガー５０１′は、回転可能に、且つ、循環方向ＵＦにおいて移動可能に、フィンガーチェーン５０１に支承されており、且つ、これら連行フィンガーが、その場合に、特に部分ブックブロックまたはブックブロック製品ＢＢの領域内において、生産方向ＰＲ１に対してほぼ平行に延びている。
個々の連行フィンガー５０１′の長さは、通路底部から＞１５０ｍｍに保持され、このことによって、高い周速が、下方への旋回の際に与えられる。更に、それらブックブロックが、位置ずれ可能でないために、ブック通路２００内において、輸送されるこれらブックブロックの間の可能な限り小さな離間が与えられることは行われるべきである。
【００７４】
第２のまたは最後の分離要素ＴＥ−２は、但し、更には図示されていない連行フィンガー５０１′が、即ちそのことが分離要素ＴＥ−１においてそのような状況になく且つ図２から読み取れるようにもはや直立してではなく、その場合に水平に案内されることで類似して機能する。このことは何故ならば、第２のまたは最後の分離要素ＴＥ−２内において、ブックブロック製品が本の背の上に直立して到着し且つ同様にそのように更に輸送されるからである。
【００７５】
場合によっては、それら連行フィンガーが、分離要素ＴＥ−１、および、分離要素ＴＥ−２において使用可能ために、これら連行フィンガー５０１′が開閉可能に構成されることは行われ得る。
【符号の説明】
【００７６】
１００              輸送装置
２００              ブック通路
５００              フィンガーチェーン
５００′            連行フィンガー
５０１              フィンガーチェーン
５０１′            連行フィンガー
５０２              フィンガーチェーン
５０２′            連行フィンガー
ＢＢ                ブックブロック
ＢＭ                加工機械
ＢＳＺ−１          紙葉堆積体供給ユニット
ＢＳＺ−１−ａ      部分ブックブロック
ＢＳＺ−２          紙葉堆積体供給ユニット
ＢＳＺ−２−ａ      部分ブックブロック
ＢＳＺＴ            紙葉堆積体供給テーブル
Ｍ１                駆動装置
Ｍ２                駆動装置
ＰＲ                生産方向
ＰＲ１              生産方向
ＰＲ２              生産方向
ＴＥ−１            第１の分離要素
ＴＥ−２            第２の分離要素
ＵＥＦ−１          第１の移送区間
ＵＥＦ−２          第２の移送区間
ＵＥＦ−３          第３の移送区間
ＵＦ                循環方向
ＵＬＳ              移行区間
ＺＴＭ−１          ＺＴＭ給紙機
ＺＴＭ−１−ａ      部分ブックブロック
ＺＴＭ−２          供給装置
ＺＴＭ−２−ａ      部分ブックブロック
【図１ａ】
2019099381.tif 000003
【図１ｂ】
2019099381.tif 000004
【図２】
2019099381.tif 000005
【図３】
2019099381.tif 000006
【図４】
2019099381.tif 000007
【図５】
2019099381.tif 000008
【図６】
2019099381.tif 000009
【図７】
2019099381.tif 000010
【図８】
2019099381.tif 000011